(57)【要約】【課題】  本発明は、中綴じ糸を２本とも露出する綴じ目とすることで、綴じ糸の切断によるシートの差し替えを困難にするとともに、透過光で確認可能な偽造防止技術をシートに施すことが可能な冊子を提供する。【解決手段】  本発明の改ざん防止冊子は、複数枚のシートが積層され、積層された複数枚のシートが中央部分を中心に二つ折りされ、二つ折りされた複数枚のシートの折り目が最上層から最下層にかけて糸で綴じられて中身ページとなり、二つ折りされた中身ページの外側の面に外装シートが貼り合わされた糸綴じ冊子であって、糸綴じ冊子を開いてページをめくったとき、二つ折りされた中身ページの折り目に施された積層された複数枚のシートの最上層と最下層の両方の糸綴じ目が目視でき、糸綴じ目が目視できる見開きページが各々同一のシートから成ることを特徴とする改ざん防止冊子とその作製方法である。【選択図】図１
2015136880.tif 000002
【特許請求の範囲】
【請求項１】
複数枚のシートが積層され、前記積層された複数枚のシートが中央部分を中心に二つ折りされ、前記二つ折りされた複数枚のシートの折り目が最上層から最下層にかけて糸で綴じられて中身ページとなり、前記二つ折りされた中身ページの外側の面に外装シートが貼り合わされた糸綴じ冊子であって、
前記糸綴じ冊子を開いてページをめくったとき、前記二つ折りされた中身ページの折り目に施された前記積層された複数枚のシートの最上層と最下層の両方の糸綴じ目が目視でき、前記糸綴じ目が目視できる見開きページが各々同一のシートから成ることを特徴とする改ざん防止冊子。
【請求項２】
前記積層された複数枚のシートの少なくとも１枚のシートが前記糸綴じ目部分で折り返されており、前記折り返されたシートと前記折り返されたシートとは異なるシートから成る見開きページに前記外装シートを貼り合わせたことを特徴とする請求項１記載の改ざん防止冊子。
【請求項３】
前記中身ページを構成する前記積層された複数枚のシートは、重要事項記載シートと内部シートから成り、
前記外装シートに貼り付けられたシートの少なくとも一方のシートは、前記重要事項記載シートであることを特徴とする請求項２記載の改ざん防止冊子。
【請求項４】
重要事項記載シートを含む複数枚のシートを丁合する工程と、前記丁合した複数枚のシートを糸綴じする工程と、前記糸綴じした複数枚のシートの少なくとも１枚を前記糸綴じした糸綴じ目を境にめくり返す工程と、前記めくり返された複数枚のシートの外側となった見開きページ面と外装シートを接着する工程を少なくとも含むことを特徴とする改ざん防止冊子の作製方法。
【発明の詳細な説明】
【技術分野】
【０００１】
本発明は、複数枚のシートの中央部分を糸で綴じ、外装にシートを貼り合わせ、糸綴じ部分を中心として半分に折ることによって製本する中綴じ冊子の製本分野において、冊子の表紙見開きページの次のページを差し替えることが困難な改ざん防止冊子及びその冊子の製造方法に関するものである。
【背景技術】
【０００２】
パスポートや通帳等の媒体には、複数のシートを重ね合わせ、中央部分を糸で綴じた中綴じ冊子状にし、中綴じの糸が露出しないように冊子の外装にシートを貼り合わせて製造されている。
【０００３】
偽造防止技術が施された冊子類では、綴じ糸を蛍光染料によって加工し、紫外線光源で発光する形態として用いることで、偽造防止を図る技術が公開されている（例えば、特許文献１参照）。 
【０００４】
こうした糸綴じ部については、他にも複数枚の紙片を糸により、かがり綴じした冊子体であって、着色の異なる複数の糸で綴じた冊子体が開示されている（例えば、特許文献２参照）。
【０００５】
さらには、冊子の見返し用紙及び本文用紙の中心線に沿って糸綴じし、見返し用紙に表紙を貼り付け、糸綴じ部で二つ折りした冊子をセンターページ又はセンターページ以外の糸綴じ部に転写シールを貼付し、綴じ糸をほどくことや切断することを困難にした冊子が開示されている（例えば、特許文献３参照）。
【先行技術文献】
【特許文献】
【０００６】
【特許文献１】特開２００１−３０５０７８号公報
【特許文献２】特許第４５６５４４８号公報
【特許文献３】特許第５１８７０４１号公報
【発明の概要】
【発明が解決しようとする課題】
【０００７】
偽造防止技術が施された冊子類では、すき入れ紙のように透過光で真偽判別可能なシートに重要事項を記載することや特殊な糸綴じ加工を施すことで、中身を差し替えたり、記載事項を書き換えたりする改ざん等への対策を図っている。
【０００８】
しかしながら、これまでの冊子形態では、外装にシートを貼り合わせた場合、背側の綴じ糸が露出することがないために、２本の糸を用いて綴じるミシンで製本した場合には、特許文献１記載の偽造防止処理を施した綴じ糸を用いたとしても、冊子を破壊することなく背側にある綴じ糸を検証に用いることができなくなってしまうという問題が生じる。
【０００９】
また、綴じ糸を切り、重要事項が記載されたシートを差し替えて改ざんされる問題が生じる。
【００１０】
また、見開きに重要事項を記載し、外装のシートに貼り合わせる冊子では、外装シートによって透過光が遮蔽されるため、透過光で真偽判別可能な偽造防止技術を施すことができず、付加する偽造防止技術に制約がある。
【００１１】
以上のような従来技術の問題点を鑑みて、本願発明では、中綴じ糸を２本とも露出する綴じ目とすることで、綴じ糸の切断によるシートの差し替えを困難にし、透過光で確認可能な偽造防止技術をシートに施すことが可能な冊子の提供を目的とするものである。
【課題を解決するための手段】
【００１２】
本発明の改ざん防止冊子は、複数枚のシートが積層され、積層された複数枚のシートが中央部分を中心に二つ折りされ、二つ折りされた複数枚のシートの折り目が最上層から最下層にかけて糸で綴じられて中身ページとなり、二つ折りされた中身ページの外側の面に外装シートが貼り合わされた糸綴じ冊子であって、糸綴じ冊子を開いてページをめくったとき、二つ折りされた中身ページの折り目に施された積層された複数枚のシートの最上層と最下層の両方の糸綴じ目が目視でき、糸綴じ目が目視できる見開きページが各々同一のシートから成ることを特徴とする改ざん防止冊子である。
【００１３】
また、本発明の改ざん防止冊子は、積層された複数枚のシートの少なくとも１枚のシートが糸綴じ目部分で折り返されており、折り返されたシートと折り返されたシートとは異なるシートから成る見開きページに外装シートを貼り合わせたことを特徴とする改ざん防止冊子である。
【００１４】
また、本発明の改ざん防止冊子は、中身ページを構成する積層された複数枚のシートは、重要事項記載シートと内部シートから成り、外装シートに貼り付けられたシートの少なくとも一方のシートは、重要事項記載シートであることを特徴とする改ざん防止冊子である。
【００１５】
本発明の改ざん防止冊子の作製方法は、重要事項記載シートを含む複数枚のシートを丁合する工程と、丁合した複数枚のシートを糸綴じする工程と、糸綴じした複数枚のシートの少なくとも１枚を糸綴じした糸綴じ目を境にめくり返す工程と、めくり返された複数枚のシートの外側となった見開きページ面と外装シートを接着する工程を少なくとも含むことを特徴とする改ざん防止冊子の作製方法である。
【発明の効果】
【００１６】
本発明の冊子は、重要事項記載シートの非記載部が外装シートと接着剤で貼り付けられており、綴じ糸を取り除くだけでは重要事項記載シートを差し替えることができない冊子である。
【００１７】
また、本発明の冊子は、重要事項記載シートの記載部が外装シートに貼り付けられておらず、透過光で観察可能な偽造防止技術を前記重要事項記載シートに施すことができる冊子である。
【００１８】
また、本発明の冊子は、冊子の中身ページと、冊子の表紙見開きページの２か所で糸綴じ目が露出しており、偽造防止技術を施した綴じ糸が観察できる冊子である。
【図面の簡単な説明】
【００１９】
【図１】本発明の冊子の全体を示す模式図である。
【図２】本発明の冊子製造方法を示す模式図である。
【図３】従来の冊子例を示す模式図（断面図）である
【図４】本発明の中身ページと外装シートの接着状態を表した模式図である。
【発明を実施するための形態】
【００２０】
本発明を実施するための形態について、図面を参照して説明する。しかしながら、本発明は、以下に述べる形態に限定されるものではなく、特許請求の範囲記載における技術的思想の範囲内であれば、その他のいろいろな実施の形態が含まれる。
【００２１】
はじめに、本発明の改ざん防止冊子について説明する。図１に本発明の改ざん防止冊子１０を示している。冊子１０は、外装シート１、重要事項記載シートの非記載部２及び記載部３、内部シート４、綴じ糸５で構成されており、重要事項記載シートの非記載部２が中央糸綴じ部で折り返され、内部シート４がその折り返しに対して一番外側になるシートとともに、外装シート１と接着剤で貼り付けられて成る。綴じ糸５の綴じ目は重要事項記載シートの非記載部２及び記載部３の間と内部シート４の真ん中の２か所で視認できる状態となる。重要事項記載シートの記載部３は、外装シート１と重要事項記載シートの非記載部２が接着剤で貼り付けられており、綴じ糸５を取り除いても、それだけでは重要事項記載シートが冊子１０からバラけることはなく、差し替えることができない。重要事項記載シートの記載部３は、外装シート１と接着剤で貼り付けられていないため、透過光で観察できる偽造防止技術を施すことができる。
【００２２】
図２に本発明の製造方法の一例を示す。内部シート４と重要事項記載シートを丁合し、綴じ糸５を用いて中央部で綴じ、中身ページを作製する。その後、重要事項記載シートの非記載部２を綴じ目に沿って折り返す。最後に、接着剤が塗布された外装シート１を重要事項記載シートの非記載部２の綴じ目がない面に貼り付けることで冊子１０となる。
【００２３】
図１及び図２において、重要事項記載シートの非記載部２及び記載部３を一番下に丁合しているが、内部シート４の間に重要事項記載シートを挿入した場合は、折り返すシート数を増加させ、重要事項記載シートの非記載部２まで折り返した後に、外装シート１に接着剤で貼り付け、冊子中央部のミシン糸部分を中心として二つ折りし、プレス機で挟み、圧力をかけることで冊子１０が製造される。
【実施例】
【００２４】
本発明の改ざん防止冊子１０の作製方法の一例を以下に示す。冊子１０を構成する重要事項記載シート１枚、内部シート８枚及び外装シート１枚を用意する。製造装置として、丁合機、ミシン及びプレス機を使用する。重要事項記載シートを最下層に配置し、その上層に内部シートを８枚重ね丁合し、中身ページを作製する。丁合された中身ページの組の中央を最上層から最下層まで貫通するようにミシン綴じする。ミシン綴じのステッチ形式は、直線的なものを選択する。ミシン綴じされた中身ページの組を表裏反転し、重要事項記載シートの非記載部を中央のミシン綴じ部分で折り返す。接着剤を塗布した外装シートを上から貼り付け、平板２枚に挟み、図示しないプレス機で圧力をかけ接着し、外装付き中身ページが作製される。外装シートが接着された中身ページの組を中央のミシン綴じ部で半分に折り、平板２枚に挟み、プレス機で圧力をかけ、二つ折りにし、冊子形態とする。二つ折りの冊子形態にされた外装シートが接着された中身ページは、ミシン綴じ部と垂直な辺及びミシン綴じ部と反対側の辺を断裁し製本し、冊子１０となる。
【００２５】
前述のように冊子１０を製造することで、冊子１０を開いたとき、対応する見開きページで中身ページの組の表裏２か所の綴じ糸５による綴じ目が確認できる。このため、重要事項記載シートの非記載部２と外装シート１は接着剤で貼り付けられていることから、重要事項記載シートの記載部３の差し替えが困難となる。本発明は、重要事項記載シートの記載部３が、外装シートと接着されていないことから、従来は、重要事項記載ページが外装シートと接着されて一体化していたため、透過光を用いた判別を行う偽造防止技術の採用が困難であったが、重要事項記載シートに透過光を用いた偽造防止技術を採用することが可能になった。
【符号の説明】
【００２６】
１    外装シート
２    重要事項記載シートの非記載部
３    重要事項記載シートの記載部
４    内部シート
５    綴じ糸
６    糸綴じ目
７    接着部分
１０  冊子
【図１】
2015136880.tif 000003
【図２】
2015136880.tif 000004
【図３】
2015136880.tif 000005
【図４】
2015136880.tif 000006